(57)【要約】【課題】アンカーを強く締付けてもその締付力により断熱性発泡面材が圧縮されたり、締付ボルトが緩まないようにして、いつまでも確りとアンカーを下地ボードに取り付けておくことができるようにする。【解決手段】コンクリート面となる断熱性発泡面材（３）の表面側に耐火性硬質耐力材（４）が設けられ、コンクリート打設時は型枠として使用することができ、打設後は型バラシすることなくそのまま内装材又は外装材の下地ボードとして使用できる型枠兼用下地ボード（２）に用いるコンクリートアンカーであって、アンカー部（５）を形成した台座（７）の底部に、先端を前記耐火性硬質耐力材（４）の裏面に当接させた状態で前記型枠兼用下地ボード（２）の表面側から挿通される締付ボルト（１０）に螺合されるスペーサ兼用スリーブナット（１１）を突出形成した。【選択図】図１
2004076399.tif 000002
【特許請求の範囲】
【請求項１】
コンクリート面となる断熱性発泡面材の表面側に耐火性硬質耐力材が設けられ、コンクリート打設時は型枠として使用することができ、打設後は型バラシすることなくそのまま内装材又は外装材の下地ボードとして使用できる型枠兼用下地ボードに用いるコンクリートアンカーであって、
アンカー部を形成した台座底部に、先端を前記耐火性硬質耐力材の裏面に当接させた状態で前記型枠兼用下地ボードの表面側から挿通される締付ボルトに螺合されるスペーサ兼用スリーブナットが突出形成されたことを特徴とするコンクリートアンカー。
【請求項２】
前記スペーサ兼用スリーブナットの外径が前記耐火性硬質耐力材に穿設された取付孔の内径より太く、突出長さが前記断熱性発泡面材の厚さに等しく選定された請求項１記載のコンクリートアンカー。
【請求項３】
前記スペーサ兼用スリーブナットと同軸の貫通孔が台座の底部から頭部に貫通形成されると共に、該貫通孔の頭部側を塞ぐキャップが取り付けられた請求項１記載のコンクリートアンカー。
【請求項４】
前記スペーサ兼用スリーブナットと同軸の貫通孔が台座の底部から頭部に貫通形成されると共に、前記貫通孔の頭部側に、スペーサ兼用スリーブナットの呼び径より細い呼び径のセパレータ連結用スリーブナットが着脱可能に装着された請求項１記載のコンクリートアンカー。
【発明の詳細な説明】
【０００１】
【発明の属する技術分野】
本発明は、コンクリート打設時は型枠として使用することができ、打設後は型バラシすることなくそのまま内装材又は外装材の下地ボードとして使用できる型枠兼用下地ボードに用いるコンクリートアンカーに関する。
【０００２】
【従来の技術】
コンクリート建造物を構築する際に、まず、構築しようとするコンクリート壁の外面に沿って型枠を組み立て、コンクリートを打設して養生した後、その型枠をバラしてコンクリート面を露出させ、その表面に内外装下地ボードを貼って内装仕上げ工事や外装仕上工事を行なうのが一般的である。
【０００３】しかし、型枠を組み立てた後、型バラシを行い、さらに内外装下地ボードの貼付作業を行なうというように同じような作業を繰返し行なわなければ成らず、また、型枠も下地ボードも一度に使用される夫々のボードの枚数が多量であることから、工期の遅延、コストアップに繋がっていた。
さらに、コンクリート壁は断熱性に乏しいため屋内側と屋外側でヒートブリッジと称する熱還流を生じ、暖房効率・冷房効率を低下させ、ひいては、無駄なエネルギー消費によるＣＯ２の排出量が増大し、地球環境保護の趣旨に反する。
【０００４】このため、本出願人はコンクリート打設時は型枠として使用することができ、打設後は型バラシすることなくそのまま内装材又は外装材の断熱下地ボードとして使用することのできる型枠兼用断熱下地ボードを開発した。
このような型枠兼用下地ボード２（図２及び図５参照）は、下地ボード２は、難燃性発泡樹脂パネルからなる断熱性発泡面材３をコンクリート面とし、その表面側に、厚さ９〜１５ｍｍ程度のセンチュリーボード（ニチハ株式会社の商品名）などの耐火性硬質耐力材４を帯状に切断して所定間隔で貼り付けることにより、コンクリート型枠としての必要強度を保持している。
【０００５】この下地ボード２により型枠を組み立て、コンクリートを打設して養生すれば、表面に断熱下地ボード２が貼り付けられた状態のコンクリート壁を構築できるので、型枠の型バラシや下地ボード貼り付けの手間が一切不要となり、工期の短縮、コストダウンを図ることができるだけでなく、高断熱性を付与して屋内外の熱還流を遮断し暖房効率・冷房効率を向上させることができ、ひいては、省エネ・ＣＯ２の排出量減少が図られ、地球環境保護にもつながる。
【０００６】このような型枠兼用断熱下地ボード２は、コンクリート打設後にコンクリート壁やスラブから剥がれないようにするために、特に、外壁に用いる場合は重い外壁材を確実に支持することができるように、裏面側にコンクリートアンカー２１を取り付けることにしている。
コンクリートアンカー２１は、図５に示すように、アンカーフランジ（アンカー部）２２を形成した樹脂製の台座２３に、型枠兼用下地ボード２の表面側から挿通される締付ボルト２４に螺合されるスリーブナット２５が埋設されている。
【０００７】そして、型枠を組み立てる際は、まず、型枠兼用下地ボード２に穿設されたアンカー取付孔５に、台座２３を合せて型枠兼用下地ボード２の表面側から締付ボルト２４を挿通し、スリーブナット２５に螺合させて締め付ける。
【０００８】そして、全てのアンカー取付孔５…にアンカー２１…を取り付けた後、この下地ボード２により型枠を組み立て、コンクリートを打設・養生すると、各型枠兼用下地ボード２の裏面側に取り付けられた複数のアンカー２１のアンカーフランジ２２がコンクリート内に埋まるので、型枠兼用下地ボード２がコンクリート壁に確りと固定される。
【０００９】
【発明が解決しようとする課題】
しかしながら、耐火性硬質耐力材４の裏面側に積層されている断熱性発泡面材３は圧縮性を有するので、台座２３を締付ボルト２４で強固に締め付けると、その締付圧により断熱性発泡面材３が変形してしまい、アンカー２１がガタついたり、締付ボルト２４が緩んだりして、少しでも無理な外力が作用すると下地ボード２がコンクリートから剥がれるおそれがああった。
【００１０】そこで本発明は、アンカーを強固に締め付けることができると同時に、圧縮性を有する断熱性発泡面材が変形したとしてもアンカーがガタ付いたり、締付ボルトが緩まないようにして、いつまでも確りとコンクリート壁に下地ボードを取り付けておくことができるようにすることを技術的課題としている。
【００１１】
【課題を解決するための手段】
この課題を解決するために、本発明は、コンクリート面となる断熱性発泡面材の表面側に耐火性硬質耐力材が設けられ、コンクリート打設時は型枠として使用することができ、打設後は型バラシすることなくそのまま内装材又は外装材の下地ボードとして使用できる型枠兼用下地ボードに用いるコンクリートアンカーであって、アンカー部を形成した台座底部に、先端を前記耐火性硬質耐力材の裏面に当接させた状態で前記型枠兼用下地ボードの表面側から挿通される締付ボルトに螺合されるスペーサ兼用スリーブナットが突出形成されたことを特徴とする。
【００１２】本発明によれば、アンカー部を形成した台座にスペーサ兼用スリーブナットが取り付けられているので、このスリーブナットを下地ボードの裏面側から取付孔に挿入して、表面側から挿入した締付ボルトと螺合させれば、スリーブナット先端が耐火性硬質耐力材の裏面に当接させた状態で締め付けられる。
【００１３】すなわち、締付ボルトとスリーブナットで耐火性硬質耐力材を挟むように締め付けるので、圧縮性を有する断熱性発泡面材を挟むように締め付ける場合と異なり、アンカーを下地ボードの裏面側に強固に、且つ、確りと固定できる。
【００１４】また、締付ボルトとスリーブナットの間に断熱性発泡面材が介在されていないので、その締付力により断熱性発泡面材が変形することもなく、また、長年の使用により多少変形したとしても、アンカーは耐火性硬質耐力材に確りと固定されているので、ガタついたり、締付ネジが緩むこともない。
【００１５】
【発明の実施の形態】
以下、本発明の実施の形態を図面に基づいて具体的に説明する。
図１は本発明に係るコンクリートアンカーを示す斜視図、図２は使用状態を示す断面図、図３は他の実施形態を示す斜視図である。
【００１６】本例のコンクリートアンカー１は、コンクリート打設時は型枠として使用することができ、打設後は型バラシすることなくそのまま内装材又は外装材の下地ボードとして使用できる型枠兼用下地ボード２に用いられるもので、その裏面側に取り付けて使用される。
【００１７】型枠兼用下地ボード２は、図４に示すように、難燃性発泡樹脂パネルからなる断熱性発泡面材３をコンクリート面とし、その表面側に、厚さ９〜１５ｍｍ程度のセンチュリーボード（ニチハ株式会社の商品名）などの耐火性硬質耐力材４を帯状に切断して所定間隔で貼り付けることによりコンクリート型枠としての必要強度を保持し、全体として５〜６ｃｍの厚さに形成されている。
【００１８】下地ボード２には、縦横に所定間隔でアンカー取付孔５…が形成され、耐火性硬質耐力材４を貫通する部分５ａが、断熱性発泡面材３を貫通する部分５ｂに比して小径に形成されている。
【００１９】コンクリートアンカー１は、アンカーフランジ（アンカー部）６を形成したプラグ状の樹脂製台座７に貫通孔８が形成され、該貫通孔８にはその頭部側を塞ぐキャップ９が取り付けられると共に、下地ボード２の表面側から挿通される締付ボルト１０に螺合されるスペーサ兼用スリーブナット１１が台座底面７ａ側に突出して設けられている。
なお、台座７は、ＰＰＳ（ポリフェニレンサルファイド）やＰＩ（ポリイミド）などの耐熱性樹脂で形成されている。
【００２０】スペーサ兼用スリーブナット１１は、先端を耐火性硬質耐力材４の裏面に当接させた状態で締付ボルト１０に締め付けることできるように、台座底面７ａからの突出長さが断熱性発泡面材３の厚さに等しく選定されており、また、その外径がアンカー取付孔５の断熱性発泡面材３を貫通する部分５ｂの内径と略等しく、耐火性硬質耐力材４を貫通する部分５ａの内径より太く形成されている。
【００２１】以上が本発明に係るコンクリートアンカーの一例であって、次に、その作用について説明する。
まず、下地ボード２のアンカー取付孔５…に、その裏面側からコンクリートアンカー１のスペーサ兼用スリーブナット１１を挿し込む。
このとき、スリーブナット１１の外径が、アンカー取付孔５の断熱性発泡面材３を貫通する部分５ｂの内径と略等しく形成されているので、スリーブナット１１をアンカー取付孔５に挿し込むだけで、その摩擦によりコンクリートアンカー１が下地ボード２の裏面に仮止めされる
【００２２】この状態で、下地ボード２の表面側からアンカー取付孔５…に締付ボルト１０を挿し込んでスリーブナット１１に螺合させれば、スリーブナット１１の先端が耐火性硬質耐力材４の裏面に当接した状態で、該ナット１１と締付ボルト１０で耐火性硬質耐力材４を挟むように締め付けるので、コンクリートアンカー１は強固に下地ボード２に固定されることとなる。
【００２３】このようにアンカー１を取り付けた下地ボード２…によりコンクリート型枠を組み立ててコンクリートを打設すれば、各アンカー１…がコンクリートに埋没されるので、コンクリートが養生した時点で下地ボード２はコンクリートに確りと固定される。
【００２４】そして、最後に外装材（図示せず）を耐火性硬質耐力材４に固定すれば、耐火性耐力材４がスペーサとなって、例えばサイディングボード１２及びタイル１３からなる外装材１４と断熱性発泡面材３との間に空気層１５が形成されることとなる。
【００２５】このとき、アンカー１は下地ボード２の耐火性硬質耐力材４に固定されており、圧縮性を有する断熱性発泡面材３を締め付けていないので、その締付力により断熱性発泡面材３が変形することもなく、また、重い外装材１４の負荷が長年作用しても、アンカー１は耐火性硬質耐力材４に確りと固定されているので、外部振動によりガタついたり、締付ボルト１０が緩むようなこともない。
したがって、大地震のような強大なエネルギーによりコンクリート壁が破壊されない限り、下地ボード２がコンクリート壁から剥がれたり浮き上がることもなく、強固に、且つ、確りと固定される。
【００２６】また、下地ボード２を交換する必要を生じた場合には、締付ボルト１０を外して下地ボード２をコンクリート壁から剥がせば、アンカー１がコンクリート壁に埋まったままなので、スペーサ兼用スリーブナット１１が壁面から突出された状態になる。
したがって、新しい下地ボード２を壁面から突出しているスペーサ兼用スリーブナット１１に合せて立て付け、締付ボルト１０を取付孔５に挿通して締め付けていけば、下地ボード２が確りと固定される。
【００２７】なお、図４に示すように、アンカー１の貫通孔８に設けたキャップ９と、スペーサ兼用スリーブナット１１の呼び径より細い呼び径のセパレータ連結用スリーブナット１６を交換可能に、または、該連結用スリーブナット１６を貫通孔８の頭部側に予め設けておけば、コンクリート型枠用のセパレータ金物として使用することができるだけでなく、外装材１４の締付も行うことができる。
【００２８】この場合は、セパレータ軸とその延長軸をセパレータ連結用スリーブナット１６に螺合させて連結し、コンクリートを打設して養生した後、表面側に突出している延長軸を外して、外装材１４の上から締付ボルト１０をスペーサ兼用スリーブナット１１に締め付ければ良い。
このようにすれば、同じアンカー１を、コンクリートアンカーとしてもセパレータ金物としても使用できるので、２つの部品を別々に揃えたり管理する面倒もない。
【００２９】また、型枠兼用下地ボード２は、耐熱性発泡面材３の表面側に帯状に切断した耐火性硬質耐力材４を所定間隔で貼り付ける場合について説明したが、耐熱性発泡面材３と同じ形状の板状に形成した耐火性硬質耐力材４を積層する場合でも良い。
【００３０】
【発明の効果】
以上述べたように、本発明によれば、圧縮性を有する断熱性発泡面材を締め付けることなく、下地ボードにコンクリートアンカーを強固に固定することができるので、断熱性発泡面材がボルトの締付力により変形することもなく、また、長年の使用により多少変形することがあったとしても、アンカーは耐火性硬質耐力材に確りと固定されているので、外部振動によりガタついたり、締付ネジが緩むようなこともなく、長期間の使用に耐えることができ、しかも、必要に応じて下地ボードを容易に交換することができるるという大変優れた効果を奏する。
【図面の簡単な説明】
【図１】本発明に係るコンクリーアンカーを示す説明図。
【図２】型枠兼用下地ボードを示す説明図。
【図３】その使用状態を示す説明図。
【図４】他の実施形態を示す説明図。
【図５】従来のアンカーを示す説明図。
【符号の説明】
１………コンクリートアンカー
２………型枠兼用下地ボード
３………耐火性硬質耐力材
４………断熱性発泡面材
５………アンカー取付孔
６………アンカーフランジ（アンカー部）
７………台座
１０………締付ボルト
１１………スペーサ兼用スリーブナット
【図１】
2004076399.tif 000003
【図２】
2004076399.tif 000004
【図３】
2004076399.tif 000005
【図４】
2004076399.tif 000006
【図５】
2004076399.tif 000007